(57)【要約】【課題】便器の下フレーム材を床に強固に固定でき、便器が前側から持ち上げられる等しても、支持フレームが変形し難い便器を提供する。【解決手段】便器本体３の前側の外郭を平面視略Ｕ字状のスカート部１７で構成する。下フレーム材５の嵌込部８をスカート部１７の下端部内側に嵌め込むと共に床固着部９をスカート部１７から後方に突出させる。嵌込部８をスカート部１７に連結して支持フレーム４とスカート部１７を備えた設置体Ａを構成する。床ｆに係合具４０を固着する。設置体Ａの下フレーム材５を床ｆに載置する。下フレーム材５の前部を係合具４０に係合する。下フレーム材５の床固着部９をねじ具４９により床ｆに固着する。設置体Ａに便器本体３の後側の外郭を着脱自在に取り付ける。該後側の外郭により前記床固着部９及びねじ具４９を覆い隠す。【選択図】図１
2009235749.tif 000002
【特許請求の範囲】
【請求項１】
ボウル部を備えた合成樹脂製の便器本体の外郭内に支持フレームを配置し、該支持フレームに便器本体を取り付けてなる便器の床固定構造において、支持フレームの下端部に設けた下フレーム材の前部を嵌込部とすると共に後部を床固着部とし、便器本体の前側の外郭を平面視略Ｕ字状のスカート部で構成し、前記下フレーム材の嵌込部をスカート部の下端部内側に嵌め込むと共に床固着部をスカート部から後方に突出させ、且つ嵌込部をスカート部に連結して支持フレームとスカート部を備えた設置体を構成し、床に係合具を固着し、設置体の下フレーム材を床に載置して該設置体のスカート部で前記係合具を覆い隠すと共に、該下フレーム材の前部を前記係合具に係合して上下動不能に係止し、前記下フレーム材の床固着部をねじ具により床に固着し、設置体に便器本体の後側の外郭を着脱自在に取り付け、該後側の外郭により前記床固着部及びねじ具を覆い隠すことを特徴とする便器の床固定構造。
【請求項２】
上記嵌込部をスカート部の下端部に沿った平面視略Ｕ字状とし、係合具に前方に突出する係合突部を設け、該係合突部の下側の面に下フレーム材の前端部を係合することを特徴とする請求項１に記載の便器の床固定構造。
【請求項３】
上記係合具に上方に突出する縦片部を設けると共に該縦片部から上記係合突部を前方に向けて突設し、該係合突部の係合面となる下側の面を前側程上方に位置するよう傾斜させて成ることを特徴とする請求項２に記載の便器の床固定構造。
【発明の詳細な説明】
【技術分野】
【０００１】
本発明は便器の床固定構造に関する。
【背景技術】
【０００２】
近年、ボウル部を備えた合成樹脂製の便器本体の外郭内に金属製の支持フレームを配置し、この支持フレームに便器本体を取り付けて支持した便器が利用されている。
【０００３】
この便器を施工するには、支持フレームの下端部に設けた下フレーム材をねじ具により床に固定するものである。また、この便器にはねじ具を便器本体の外郭で覆い隠す工夫がなされており、以下、本発明を示す図２〜５、図８を用いて説明する。
【０００４】
図３に示すように、支持フレーム４の下端部に設けた下フレーム材５は前部の嵌込部８と後部の床固着部９とで構成してある。図２に示すように便器本体３の前側の外郭はボウル部２と一体的に設けた平面視で後方に開口する略Ｕ字状のスカート部１７で構成してある。
【０００５】
図４に示すように下フレーム材５は嵌込部８をスカート部１７の下端部の内側に嵌め込むと共に床固着部９をスカート部１７から後方に突出させ、図８のように嵌込部８をねじ具２８によりスカート部１７に連結して支持フレーム４とスカート部１７を一体的に備えた設置体Ａを構成している。
【０００６】
設置体Ａには図２のように便器本体３の後側の外郭の一部を取り付けて、設置体Ａの後部に設けた温水洗浄装置等の付属装置３８やトラップケース１０等を覆い隠す。
【０００７】
上記便器１の施工は、便器本体３の後側の外郭を取り外した設置体Ａを床ｆに載置し、前記後側の外郭を取り外した部分に形成される作業用開口４８を介して設置体Ａの下フレーム材５をねじ具２８により床ｆに固定し、この後、前記後側の外郭を設置体Ａに取り付ける。
【０００８】
ここで、下フレーム材５の嵌込部８は上記作業用開口４８よりも前方に位置しており、また、便器１の後部には付属装置３８やトラップケース１０等が配置される。このため上記狭いスカート部１７内に位置する下フレーム材５の嵌込部８をねじ具により床ｆに固定する作業は極めて困難なものとなる。従って、従来では上記下フレーム材５の嵌込部８を床ｆに固着せず、下フレーム材５の後部を構成する床固着部９のみをねじ具により床ｆに固定していた。
【０００９】
ところで上記便器本体３は合成樹脂製であるため軽量であり、このためいたずら等で便器１が前側から持ち上げられる恐れがある。そして、このように便器１が前側から持ち上げられる等した場合には、上記床固着部９のみを固定した支持フレーム４の前部が上方に曲がって変形する恐れがある。
【００１０】
また、例えば特許文献１には便器の前部を床に固定した係合具に係合すると共に後部をねじ具により床に固着した便器の床固定構造が開示してあるが、このものは合成樹脂製の便器本体と支持フレームを備えた便器ではなく、また、便器の後部を固着するためのねじ具が露出して見栄えが悪いという問題がある。
【特許文献１】実開平５−１０５８７号公報
【発明の開示】
【発明が解決しようとする課題】
【００１１】
本発明は上記従来の問題点に鑑みてなされたものであって、便器の下フレーム材を床に強固に固定でき、便器が前側から持ち上げられる等しても、支持フレームが変形し難い便器を提供することを課題とする。
【課題を解決するための手段】
【００１２】
上記課題を解決するために請求項１に係る便器の床固定構造は、ボウル部２を備えた合成樹脂製の便器本体３の外郭内に支持フレーム４を配置し、該支持フレーム４に便器本体３を取り付けてなる便器の床固定構造において、支持フレーム４の下端部に設けた下フレーム材５の前部を嵌込部８とすると共に後部を床固着部９とし、便器本体３の前側の外郭を平面視略Ｕ字状のスカート部１７で構成し、前記下フレーム材５の嵌込部８をスカート部１７の下端部内側に嵌め込むと共に床固着部９をスカート部１７から後方に突出させ、且つ嵌込部８をスカート部１７に連結して支持フレーム４とスカート部１７を備えた設置体Ａを構成し、床ｆに係合具４０を固着し、設置体Ａの下フレーム材５を床ｆに載置して該設置体Ａのスカート部１７で前記係合具４０を覆い隠すと共に、該下フレーム材５の前部を前記係合具４０に係合して上下動不能に係止し、前記下フレーム材５の床固着部９をねじ具４９により床ｆに固着し、設置体Ａに便器本体３の後側の外郭を着脱自在に取り付け、該後側の外郭により前記床固着部９及びねじ具４９を覆い隠すことを特徴とする。
【００１３】
また、請求項２に係る便器の固定構造は、請求項１において、上記嵌込部８をスカート部１７の下端部に沿った平面視略Ｕ字状とし、係合具４０に前方に突出する係合突部４５を設け、該係合突部４５の下側の面に下フレーム材５の前端部を係合することを特徴とする。
【００１４】
また、請求項３に係る便器の固定構造は、請求項２において、上記係合具４０に上方に突出する縦片部４２を設けると共に該縦片部４２から上記係合突部４５を前方に向けて突設し、該係合突部４５の係合面４６となる下側の面を前側程上方に位置するよう傾斜させて成ることを特徴とする。
【発明の効果】
【００１５】
請求項１に係る発明では、便器本体を外郭内に配置した支持フレームに取り付け、支持フレームの下端部に設けた下フレーム材の後部を構成する床固着部をねじ具で床に固着し、便器本体の後側の外郭により前記床固着部及びねじ具を覆い隠すことができ、見栄えが良い。
【００１６】
また、下フレーム材の前部を床に固着した係合具に係合して簡単に上下動不能に係止できる。また、これにより下フレーム材、ひいては便器を床に強固に固定でき、便器が前側から持ち上げられて下フレーム材が変形するといった事態が生じることを防止できる。
【００１７】
また請求項２に係る発明では、請求項１に係る発明の効果に加えて、平面視略Ｕ字状の嵌込部の前端部を床に固着した係合具の前方に突出する係合突部の下側の面に係合するものである。このため便器が前側から持ち上げられたとしても、下フレーム材は床固着部の床へのねじ止め部分を回動支点として下フレーム材のねじ止めされていない部分である嵌込部が回動することとなる。そしてこの時、嵌込部の前端部は上方ではなく係合突部との係合が外れる方向とは反対側である後側に傾斜した斜め上方に移動することとなる。従って、仮に便器が前側から持ち上げられたとしても上記係合は外れ難いものとなっている。
【００１８】
また請求項３に係る発明では、請求項１又は請求項２に係る発明の効果に加えて、係合突部の下側の面を前側程上方に位置するよう傾斜させることで、床固着部の床へのねじ止めを解除した状態で設置体を略鉛直上方に移動するだけで、嵌込部の前端部で係合突部の下側の面を押圧し、縦片部を後方に弾性変形させながら上方に移動させ、係合突部との係合を容易に解除できる。このため床固着部の床へのねじ止めを解除した状態の設置体を床に対して前後に移動できない場合にも対応できる。
【発明を実施するための最良の形態】
【００１９】
以下、本発明を添付図面に示す実施形態に基づいて説明する。図１乃至図１４に示す本実施形態の便器１は、内部にボウル部２を備えた合成樹脂製の便器本体３と、便器本体３を支持・補強する金属製の支持フレーム４を備えている。
【００２０】
図３に示すように支持フレーム４は、平面視で前後に長い環状の下フレーム材５と、下フレーム材５の後部の両側に立設した後フレーム材６と、下フレーム材５の後部の両側で且つ後フレーム材６よりも前方位置に立設した中フレーム材７とで構成してあり、各フレーム材５〜７は角状パイプからなる。
【００２１】
以下、支持フレーム４の床ｆに設置される下フレーム材５のうち、前部を嵌込部８とすると共にこれよりも後方の後部を床固着部９とする。嵌込部８は平面視で後方に開口する略Ｕ字状となっている。
【００２２】
図４に示すように下フレーム材５の床固着部９上にはトラップケース１０が取り付けてある。トラップケース１０内に内装したトラップはターントラップ方式のもので、フレキシブルなトラップ筒（図示せず）により構成してある。トラップ筒の一端はボウル部２の下部後端部に設けた排出孔部１１に接続してあり、他端は自由端となっている。
【００２３】
トラップ筒はトラップケース１０に設けたモータ（図示せず）により回動させることで、自由端側の開口を上向きとしたトラップ構造を形成する状態と、自由端側の開口を下向きとして前記トラップ構造を解除して排水される状態とを選択できるようになっている。また、トラップケース１０の下端部は下方に突出する排水口１２となっていて、便器１を設置する床ｆから上方に向けて突設した排出筒１３に連通接続される。
【００２４】
図７のように下フレーム材５の嵌込部８及び床固着部９の夫々には周方向に複数のねじ具用孔１４ａ、１４ｂを穿設している。下フレーム材５の前端部は被係合部１５としてあり、前記嵌込部８に設けたねじ具用孔１４ａは、被係合部１５を除く両側の複数箇所と、被係合部１５の左右両側部分に穿設している。以下、被係合部１５に設けたねじ具用孔１４ａは特にねじ具用孔１４ａ１と記載する。
【００２５】
図１１に示すように嵌込部８の前端部に位置する被係合部１５は水平な床固着部９よりもやや上方に位置している。嵌込部８は床固着部９側の部分から被係合部１５側に行くにつれて徐々に上方に位置するよう湾曲し、これにより被係合部１５を床固着部９よりも上方に位置させている。
【００２６】
また、図３のように各中フレーム材７の上下複数箇所には螺子具挿通孔１６を穿設している。
【００２７】
図２に示すように便器本体３は内部にボウル部２を備えた前パーツＦと後パーツＲで構成してある。図５に示すように前パーツＦは便器１の外郭の前部を構成する平面視面略Ｕ字状をしたスカート部１７と、スカート部１７内の上部内に位置したボウル部２と、ボウル部２の上に位置するリム部１８とで構成してあり、これら合成樹脂製のスカート部１７、ボウル部２、リム部１８は溶着又は接着により固着一体化してある。
【００２８】
図８及び図９に示すようにスカート部１７の下部にはスカート部１７の内側に向けてフランジ状の内フランジ部１９を一体に突設してあり、該内フランジ部１９はスカート部１７の周方向の両端部を除く全長に亘って形成されている。
【００２９】
内フランジ部１９における前記嵌込部８に設けた各ねじ具用孔１４ａに対応する箇所には取付用孔２０を穿設している。内フランジ部１９の被係合部１５に対応する前端部は前固定部２１としてあり、該前固定部２１に設けた各取付用孔２０はねじ具用孔１４ａ１に対応している。以下、前固定部２１に設けた各取付用孔２０を取付用孔２０ａと記載する。
【００３０】
前固定部２１の左右両端及び後端には上方に向けてリブ２２を突設してあり、これらリブ２２及びスカート部１７の周壁部によって囲まれた上方に開口する凹所２３を形成している。
【００３１】
スカート部１７の周壁部の前端部（周方向において前固定部２１に対応する箇所）には操作用孔２４を穿設している。操作用孔２４には図示しない蓋体が着脱自在に取り付けられ、該蓋体により操作用孔２４は閉塞される。
【００３２】
スカート部１７の周方向の全長に亘る下端部は内フランジ部１９よりも下方に突出して覆い部２５としている。
【００３３】
スカート部１７の後部両側には縦片状の取付片部２６を内側方に向けて一体に突設している。各取付片部２６は上端がスカート部１７の上下方向の中程に位置し、下端は内フランジ部１９の後端に一体に接続されている。各取付片部２６の中フレーム材７の螺子具挿通孔１６に対応する箇所には貫通孔２７を穿設している。
【００３４】
上記前パーツＦのスカート部１７は支持フレーム４に取り付けてある。スカート部１７を支持フレーム４に取り付けるには、スカート部１７の覆い部２５の内側に下フレーム材５の嵌込部８を嵌め込み、嵌込部８上に内フランジ部１９を載置し、且つ、各中フレーム材７の前面を対応する取付片部２６の後面に沿わせる。次に、内フランジ部１９と嵌込部８を皿ねじからなるねじ具２８を用いて連結すると共に、各取付片部２６と対応する中フレーム材７を螺子具３１を用いて連結する。
【００３５】
上記内フランジ部１９と嵌込部８を連結する場合、スカート部１７の両側部分にあっては、図８に示すように嵌込部８の両側に位置する各ねじ具用孔１４ａ及びこれに対応する内フランジ部１９の取付用孔２０に下方からねじ具２８を通し、各ねじ具２８を内フランジ部１９上の配したナット２９に螺合する。
【００３６】
また、スカート部１７の前端部にあっては、被係合部１５の各ねじ具用孔１４ａ１及びこれに対応する前固定部２１の取付用孔２０ａに下方からねじ具２８（図１２参照）を通し、各ねじ具２８を前固定部２１上に載置し且つ下部を凹所２３に嵌め込んだ金属製の連結具３０に螺合し、該連結具３０と被係合部１５とで前固定部２１を挟持する。
【００３７】
また、各取付片部２６を中フレーム材７に連結する場合は、図１４に示すように各螺子具挿通孔１６及びこれに対応する貫通孔２７に前方から螺子具３１を通し、各螺子具３１を取付片部２６の前側に配したナット３２に螺合する。
【００３８】
上記のようにスカート部１７を支持フレーム４に連結することで、前パーツＦは支持フレーム４に取り付けられる。この取付状態にあっては、覆い部２５により下フレーム材５の外側は覆い隠される。また、下フレーム材５の前端部で構成される被係合部１５の後部が図１０に示すように前固定部２１よりも後方に突出する。また、図１３に示すように連結具３０の左右方向の中央部には前後に貫通するねじ具通孔３３が穿設してあるが、このねじ具通孔３３がスカート部１７の操作用孔２４に対向する。
【００３９】
一方、後パーツＲは、上カバー３４、両側の側カバー３７、装置支持ケース３５、背面カバー３６で構成してあり、両側の側カバー３７及び背面カバー３６により便器本体３の後側の外郭を構成している。
【００４０】
装置支持ケース３５には局部洗浄用の温水洗浄装置等の付属装置３８、便座（図示せず）、便蓋３９を取り付けている。
【００４１】
上カバー３４は装置支持ケース３５に着脱自在に取り付けてあり、該上カバー３４により便器１の後上部に配設された装置支持ケース３５及び付属装置３８が覆われている。
【００４２】
装置支持ケース３５は支持フレーム４の両後フレーム材６に取り付けてあり、便器１の後部側面を覆う側カバー３７は装置支持ケース３５や支持フレーム４に着脱自在に取付けてある。また、便器１の後端を覆う背面カバー３６は上カバー３４や側カバー３７に着脱自在に取り付けてある。
【００４３】
上記便器１を床ｆに施工する場合は図１に示すように予め床ｆの被係合部１５に対応する箇所に金属製の係合具４０を固着しておく。
【００４４】
図１０及び図１２に示すように係合具４０は、横片部４１と、横片部４１の前端から上方に突出する縦片部４２を備えている。横片部４１にはねじ具用孔４３を穿設している。係合具４０を床ｆに固着するには、床面上に横片部４１を載置し、ねじ具４４をねじ具用孔４３に通して床ｆに螺着する。
【００４５】
縦片部４２には前方に突出する係合突部４５を形成している。係合突部４５は側断面三角形状に形成してあり、下側の面は前側程上方に位置するよう傾斜した係合面４６となり、上側の面は前側程下方に位置するように傾斜した傾斜面４７となっている。また、縦片部４２の前面には図示しない雌ねじ穴を形成してある。
【００４６】
上記係合具４０は床ｆの排出筒１３の前方の所定位置に位置決めして取り付けられ、この後、便器１が床ｆに取り付けられる。以下、便器１の取り付け方法の一例を示す。
【００４７】
便器１の取り付けは、先に便器１から便器本体３の後側の外郭を取り外してなる設置体Ａを床ｆに設置し、この後、設置体Ａに前記取り外した後側の外郭を取り付けることで行う。
【００４８】
具体的には、設置体Ａは図４に示すように上記便器１から便器本体３の後側の外郭の一部を構成する両側の側カバー３７を取り外したものである。つまり、設置体Ａは、支持フレーム４、便器本体３の両側の側カバー３７を除く全ての部材、便座、便蓋３９、トラップケース１０、トラップ、モータ、付属装置３８、連結具３０等の全てを施工状態と同様に組み立てたものである。
【００４９】
また、上記設置体Ａの状態では両側の側カバー３７を取り外した部分の夫々が作業用開口４８となり、支持フレーム４の下端部に設けた下フレーム材５の床固着部９はスカート部１７から後方に突出して露出した状態となる。
【００５０】
上記設置体Ａを床ｆに設置するには、図１に示すように床ｆ上方に配置した設置体Ａを下方に移動して支持フレーム４の下フレーム材５を床ｆに載置し、これにより排出筒１３を床ｆに設けた排水口１２に挿入すると共に、下フレーム材５の被係合部１５を前記予め床ｆに設けた係合具４０の係合突部４５に係合させる。
【００５１】
詳述すると、上記のように設置体Ａを下方に移動すると、下フレーム材５の床固着部９が嵌込部８の被係合部１５よりも先に床面に載置され、この後さらに設置体Ａの前部を下方に押圧する。これにより下フレーム材５の被係合部１５は下方に弾性変位し、以下のように係合具４０の係合突部４５に係合する。
【００５２】
即ち、上記設置体Ａの前部を下方に押圧して図１０（ａ）に示すように被係合部１５を下方に移動させると、被係合部１５の後端部が係合突部４５の傾斜面４７を押圧して縦片部４２を後方に弾性変形させながら下方に移動する。そして被係合部１５が係合突部４５を乗り越えた時点で図１０（ｂ）のように縦片部４２が前方に復帰し、これにより被係合部１５の後端部が係合突部４５の係合面４６と床面との間に嵌まり込み、被係合部１５が係合突部４５の係合面４６に弾接係合して上下動不能に係止される。
【００５３】
上記のように設置体Ａを床ｆに設置した後には、設置体Ａの作業用開口４８を利用して下フレーム材５の床固着部９の各ねじ具用孔１４ｂに上方からねじ具４９を通し、これら各ねじ具４９により床固着部９を床ｆに固着する。そして設置体Ａの装置支持ケース３５や支持フレーム４に両側の側カバー３７を取り付けて、これら両側の側カバー３７により設置体Ａの後部に露出したトラップケース１０、装置支持ケース３５、スカート部１７から後方に突出した下フレーム材５の床固着部９、これを床ｆに固定する各ねじ具４９等を覆い隠す。
【００５４】
また、上記設置体Ａを床ｆに設置した後には、ねじ具２８により前固定部２１及び被係合部１５に連結した連結具３０を係合具４０に連結する。連結具３０を係合具４０に連結するには、図１３のようにスカート部１７の前方から操作用孔２４を介して連結具３０のねじ具通孔３３にねじ具５０を通し、該ねじ具５０を係合具４０の前記雌ねじ穴に螺合し、これによってねじ具２８により前固定部２１及び被係合部１５に連結した連結具３０を係合具４０に連結し、この後、操作用孔２４に蓋体を取り付けて該蓋体により操作用孔２４及びスカート部１７内側のねじ具５０を覆い隠す。
【００５５】
以上説明した便器１の固定構造にあっては、従来例同様、便器本体３の後側の外郭を構成する側カバー３７により下フレーム材５の後部を構成する床固着部９を床ｆに固定するためのねじ具４９を覆い隠すことができて、見栄えが良い。
【００５６】
さらに下フレーム材５の前端部を床ｆに固着した係合具４０に係合して上下動不能に係止することで、下フレーム材５の前端部を容易に固定できる。また、下フレーム材５の後部を構成する床固着部９をねじ止めにより床ｆに固定すると共に、スカート部１７を連結した下フレーム材５の前端部を床ｆに固着した係合具４０に係止して便器１を床ｆに強固に固定でき、便器１が前側から持ち上げられて下フレーム材５が変形するといった事態が生じることを防止できる。
【００５７】
また、本実施形態では係合具４０の前方に突出する係合突部４５の下側の面に平面視略Ｕ字状の下フレーム材５の前端部からなる被係合部１５を係合している。このため便器１が前側から持ち上げられたとしても、下フレーム材５は図１１の矢印に示すように床固着部９の床ｆへのねじ止め部分を回動支点として下フレーム材５のねじ止めされていない部分である嵌込部８が回動することとなり、この時、下フレーム材５の被係合部１５は上方ではなく係合突部４５と被係合部１５との係合が外れる方向とは反対側である後側に傾斜した斜め上方に移動することとなる。従って、仮に便器１が前側から持ち上げられたとしても上記係合突部４５と被係合部１５の係合は外れ難くなっている。
【００５８】
また、上記施工後の便器１を取り外す場合は、便器１から両側の側カバー３７を取り外して上記の設置体Ａとし、この後、作業用開口４８を介して下フレーム材５の床固着部９を固定するねじ具４９を取り外し、また、スカート部１７から蓋体を取り外して操作用孔２４を介して連結具３０と係合具４０を連結するねじ具５０を取り外し、この後、設置体Ａを持ち上げる。
【００５９】
また、上記設置体Ａを持ち上げる際には、排水口１２を排出筒１３に挿入していることから設置体Ａを略鉛直な上方に移動させる必要があるが、この場合に上記係合突部４５と被係合部１５の係合は容易に解除できるようになっている。
【００６０】
即ち、本実施形態では上記係合突部４５の下側の面で構成された係合面４６は前側程上方に位置するよう傾斜している。従って、上記のように設置体Ａを床ｆから持ち上げるにあたって設置体Ａを略鉛直上方に移動した時には、下フレーム材５の被係合部１５は傾斜した係合面４６を押圧して縦片部４２を後方に弾性変形させながら上方に移動することとなり、係合突部４５と被係合部１５の係合を容易に解除できるのである。
【００６１】
なお、本実施形態では、便器１を床ｆに固定する際に、便器１から後側の外郭を構成する両側の側カバー３７のみを取り外した状態（即ち設置体Ａ）としたが、例えば図６のように側カバー３７以外の他の部材を取り外した状態としても良く、設置体Ａは支持フレーム４及びこれに取り付けた前パーツＦを備え、下フレーム材５の床固着部９をねじ具４９により床ｆに取り付けるための作業用開口４８が開口したものであれば良いものとする。
【図面の簡単な説明】
【００６２】
【図１】本発明の実施の形態の一例を示し、設置体を床に設置する前の状態を示す側方から見た説明図である。
【図２】同上の便器の側面図である。
【図３】同上の支持フレームの透視斜視図である。
【図４】同上の設置体の側面図である。
【図５】同上の便器の後側の外郭や装置支持ケースを取り外した状態における側断面図である。
【図６】図５の状態における側面図である。
【図７】図５の状態における底面図である。
【図８】同上の内フランジ部と嵌込部の連結構造を示す正断面図である。
【図９】同上のスカート部を示し、（ａ）は平面図、（ｂ）は側面図、（ｃ）は底面図である。
【図１０】（ａ）は被係合部が係合具に係合される直前の状態を示す側断面図であり、（ｂ）（ｃ）は被係合部が係合具に係合された状態を示す側断面図であり、（ｂ）では便器が前側から持ち上げられた際に被係合部に係る力の向きを矢印で示し、（ｃ）では便器の取り外し時において便器が上方に持ち上げられた際に被係合部に係る力の向きを矢印で示している。
【図１１】同上の下フレーム部を側方から見た説明図である。
【図１２】同上の連結具と係合具の連結構造を示す斜視図である。
【図１３】同上の操作用孔から連結具にねじ具を通す時の状態を示す側断面図である。
【図１４】同上の中フレーム材とスカート部の連結構造を示す水平断面図である。
【符号の説明】
【００６３】
Ａ  設置体
Ｆ  床
２  ボウル部
３  便器本体
４  支持フレーム
５  下フレーム材
８  嵌込部
９  床固着部
１７  スカート部
４０  係合具
４５  係合突部
４６  係合面
４９  ねじ具
【図１】
2009235749.tif 000003
【図２】
2009235749.tif 000004
【図３】
2009235749.tif 000005
【図４】
2009235749.tif 000006
【図５】
2009235749.tif 000007
【図６】
2009235749.tif 000008
【図７】
2009235749.tif 000009
【図８】
2009235749.tif 000010
【図９】
2009235749.tif 000011
【図１０】
2009235749.tif 000012
【図１１】
2009235749.tif 000013
【図１２】
2009235749.tif 000014
【図１３】
2009235749.tif 000015
【図１４】
2009235749.tif 000016